(57)【要約】【課題】  紐結びを少なくして圧迫感を軽減し、初心者でも簡単に衿抜きと衿合わせが出来る着付け用衿合わせベルトを提供する。【解決手段】  着物の胴周りに巻き付け可能な長さを有し、両端に係止部材が設けられており、全体形状が略帯体のベルト部２と、該ベルト部２の任意位置に対向して着脱自在に取付けられる一対の長襦袢用衿合わせ細帯３と、該ベルト部の任意位置に対向して着脱自在に取付けられる一対の着物用衿合わせ細帯４とから構成されている着付け用衿合わせベルト１。前記細帯３，４は、一端に前記ベルト部２に着脱自在な係止部材３２，４２が設けられ、他端に長襦袢叉は着物に着脱自在な挟持部材３１，４１が設けられている。前記細帯４には、該細帯４の長さを調整可能な調整部材４３が設けられている。【選択図】図１
2019035182.tif 000002
【特許請求の範囲】
【請求項１】
着物の胴周りに巻付け可能な長さを有し、その両端近傍に着脱可能な面ファスナーが設けられた帯状のベルト部と、該ベルト部の適宜位置に対向して着脱自在に取り付けられる少なくとも一対以上の細帯と、から構成されていることを特徴とする着付け用衿合わせベルト。
【請求項２】
前記ベルト部は、表面及び／叉は裏面が前記細帯を着脱自在に取り付けることができるマジッククロス生地であることを特徴とする請求項１に記載の着付け用衿合わせベルト。
【請求項３】
前記ベルト部は、表面及び／叉は裏面の所定位置に前記細帯を着脱自在に取り付けることができる面ファスナーが設けられていることを特徴とする請求項１に記載の着付け用衿合わせベルト。
【請求項４】
前記一対の細帯は、長襦袢衿合わせ用の細帯及び／叉は着物衿合わせ用の細帯として使用可能であり、該細帯の一端には前記ベルト部に着脱自在に取付け可能な面ファスナーが設けられ、他端には長襦袢の衿叉は着物の衿に着脱自在に取付け可能な挟持部材が設けられていることを特徴とする請求項１〜３の何れかに記載の着付け用衿合わせベルト。
【請求項５】
前記細帯は、長さを調整可能な調整部材が設けられていることを特徴とする請求項１〜４の何れかに記載の着付け用衿合わせベルト。
【発明の詳細な説明】
【技術分野】
【０００１】  本発明は、紐結びを少なくして圧迫感を軽減し、初心者でも簡単に衿抜きと衿合わせが出来る着付け用衿合わせベルトに関するものである。
【背景技術】
【０００２】  従来、着物を着る手順は、まず肌襦袢を着て、該肌襦袢の上から胴回りにタオルを巻付けて紐で結んで補正する。次に、長襦袢をはおり、該長襦袢の衿の背縫いを下方に引いて衿抜きをし、該衿抜きを維持した状態で前身頃を重ねて衿合わせをし、紐を胸元で結び、さらに伊達締めを締めて長襦袢を着る。【０００３】  次に、該長襦袢の上から着物をはおり、着丈を合わせ、前身頃を重ね合わせ、紐をウエスト位置で結び、着物の衿を長襦袢の衿に重ね合わせて衿元を整え、紐を胸元で結び、その上に伊達締めを締める。更に帯を結んで着付けが完成する。【０００４】  しかしながら、初心者では、衿抜きをした状態を維持しながら衿合わせをするのは難しく、衿合わせを維持するために胸元の紐をきつく締めると息苦しくなり、気分が悪くなる等の問題が生じていた。【０００５】  そこで、初心者でも簡単に着付けができる補助具として。例えば、図３、図４に示すように、着物着付け用ベルトに連結された長襦袢着付け用ベルトの一方の止め具を、長襦袢の前下の衿に止め、他方の止め具及び着物着付け用ベルトを着物の左の身八つ口から背中側に出し、他方の止め具を着物の右の身八つ口から長襦袢の前側に入れて、長襦袢の前上の衿に止めて長襦袢を衿合せし、着物の背中側に出されている着物着付け用ベルトの一方の止め具を着物の左の身八つ口から入れて着物の前下の衿に止め、他方の止め具を背中側から右側に回して着物の前上の衿に止めて着物の衿合わせを行うようにした着付け用ベルトが開示されている（特許文献１参照。）。【０００６】  また、図５に示すように、中心部がゴムひもで、端部を布ひもとした、衣紋抜き固定用のひもを設け、中心部を布ひもとし、その左右先端に二股に分岐させて、一方にゴム製の長さ調整部を介して長襦袢用衿はさみを配すると共に他方に、同じくゴム製の長さ調整部を介して着物用衿はさみを左右両端に設けた衿固定用ひもを設け、該衣紋抜き固定用ひものゴムひもの中心部に一致させて、衿固定用ひもの布ひもの中心部を固定して両者を結び付けた着物用着付け具が開示されている（特許文献２参照。）。
【先行技術文献】
【特許文献】
【０００７】
【特許文献１】実用新案登録第３０８９７７１号公報
【特許文献２】特開２０００−１７００２１号公報
【発明の概要】
【発明が解決しようとする課題】
【０００８】  しかしながら、先行技術文献１及び２の着付け具は、長襦袢用ベルトと着物用ベルトが連結具で一体化されているので、胸部の圧迫を軽減するためにゴム等の伸縮する紐を使用しているが、複数本のゴム紐の伸縮具合を調整することは難しく、緩いと衿が乱れ、きついと胸部を圧迫するという問題点があった。また、左右のゴムの引張具合が異なると、衿が片方に引っ張られて、長襦袢と着物の衿が合致しないという問題があり、いずれにしても初心者には難しいものであった。
【課題を解決するための手段】
【０００９】  上記課題を解決するために、本発明の着付け用衿合わせベルトは、着物の胴周りに巻付け可能な長さを有し、その両端近傍に着脱可能な面ファスナーが設けられた帯状のベルト部と、該ベルト部の適宜位置に対向して着脱自在に取付けられる少なくとも一対以上の細帯とから構成されている。また、前記ベルト部は、表面及び／叉は裏面が前記細帯を着脱自在に取付けることができるマジッククロス生地である。【００１０】  また、他の実施形態では、前記ベルト部は、表面及び／叉は裏面の所定位置に前記細帯を着脱自在に取付けることができる面ファスナーが設けられている、【００１１】  前記一対の細帯は、長襦袢衿合わせ用の細帯及び／叉は着物衿合わせ用の細帯として使用可能であり、該細帯の一端には前記ベルト部に着脱自在に取付け可能な面ファスナーが設けられ、他端には長襦袢の衿叉は着物の衿に着脱自在に取付け可能な挟持部材が設けられている。また、他の実施形態では、前記細帯は、長さを調整可能な調整部材が設けられている。
【発明の効果】
【００１２】  本発明の着付け用衿合わせベルトは、上記のように構成されており、これを用いることにより以下のような効果がある。
１）本発明の着付け用衿合わせベルトのみで、長襦袢と着物の衿合わせが容易にできる。
２）前記ベルトで長襦袢を固定することにより長襦袢の衣紋抜きができると共に、胴体補正のために捲回したタオルを固定することができる。これにより、胴体補正用の結紐が不要となる。
３）着物の背部にできた皺を、着付け用衿合わせベルトに挟み込むことで解消することができる。
４）黒留めの比翼仕立てされた衿や、お洒落着のときに付けるかけ衿を、細帯で挟んで固定しておくことができる。
５）着物を脱ぐときは、身八つ口を通して取付けた細帯を、ベルト部から外しておけば、長襦袢と着物を一緒に脱ぐことができ、小物も散らからない。
６）着物を着付けた後で衿に弛みが出た場合は、身八つ口を通して取付けた細帯を外して、取付け位置を変更することで対処できる。
７）胸の圧迫が気になる時は、胸への締め付けは着付け用衿合わせベルトのみなので、着物を着付けた後でも前記着付け用衿合わせベルトの係止部を止め直すことで対処できる。
８）胸の圧迫が気になる場合、帯を結んだ後でも、着物や長襦袢の衿に止めた細帯を外すことで、胸への圧迫を軽減することができる。【００１３】  本発明の着付け用衿合わせベルトと、別途用意する手持ちの腰紐１本及びクリップがあれば、初心者でも簡単に衿抜きと衿合わせができる。この着付け用衿合わせベルトは、長襦袢のえり抜き、長襦袢と着物の衿合わせ、着物の背部の皺補正が可能となる。また、腰紐等による締め付けがなくなり、息苦しさや圧迫感が軽減される。このように、本発明の着付け用衿合わせベルトは多機能な効果を有しているため、胸元や襟元がすっきりと仕上がり、初心者でも美しい着付けをすることが可能となる。【００１４】  また、浴衣を着付けるときは、一対の細帯のみを着付け用衿合わせベルトに着脱自在に取付ければよい。
【図面の簡単な説明】
【００１５】
【図１】  本発明の実施形態の一例を示す着付け用衿合わせベルトの平面図である。
【図２】  本発明の他の実施形態を示す着付け用衿合わせベルトの平面図である。
【図３】  従来の着付け用ベルトである。
【図４】  従来の着付け用ベルトの止め具の側面図である。
【図５】  従来の着物用着付け具である。
【発明を実施するための形態】
【００１６】  以下、本発明の着付け用衿合わせベルトについて、図面に基づいて詳細に説明する。なお、本発明はこれらの実施形態に限定されるものではなく、要旨を逸脱しない範囲において適宜変更して実施可能なものである。図１は本発明の実施形態の一例を示す着付け用衿合わせベルトの平面図である。
【００１７】  図１において、１は着付け用衿合わせベルトであり、ベルト部２は、表面及び／叉は裏面が細帯を着脱自在に取付けることができるマジッククロス生地で形成されている。前記ベルト部２はクッション性と伸縮性を有した帯状に形成されており、身体に装着した着物の胴部に捲き付け可能な９０〜１２０ｃｍの長さであり、ベルト幅は身八つ口に通すことが可能で、胸の圧迫を軽減できる３〜４ｃｍ幅としている。前記ベルト部２の長尺側両端部近傍には、一方の表面側と他方の裏面側に、面ファスナー２１，２２が設けられており、着物を着用する人の体形に合せて係止位置の調整が可能となっている。
【００１８】  一対の細帯３は、２ｃｍ巾×１５〜２５ｃｍ長のゴム製ベルトであり、一端に前記ベルト部２に着脱自在に取付け可能な面ファスナー３２が設けられ、他端は長襦袢叉は着物の衿に着脱自在に取付ける挟持片（クリップ）３１が設けられている。この挟持片（クリップ）３１は、図４に示すベルト止め具と同様の構造である。なお、前記細帯３をループ状に形成して、長さ調整を行う調節部材４３を持着させてもよい。
【００１９】  一対の細帯４は、２ｃｍ巾×１５〜２５ｃｍ長のゴム製ベルトであり、一端に前記ベルト部２に着脱自在に取付け可能な面ファスナー４２が設けられ、他端は長襦袢叉は着物の衿に着脱自在に取付ける挟持片（クリップ）４１が設けられている。この挟持片（クリップ）４１は、図４に示すベルト止め具と同様の構造である。また、前記細帯４はループ状に形成して、長さ調整を行う調節部材４３が設けられている。
【００２０】  図２において、１ａは着付け用衿合わせベルトであり、ベルト部２ａは、クッション性と伸縮性を有した帯状に形成されており、身体に装着した着物の胴部に捲き付け可能な９０〜１２０ｃｍの長さであり、ベルト幅は身八つ口に通すことが可能で、胸の圧迫を軽減できる３〜４ｃｍ幅としている。前記ベルト部２ａの長尺側両端部近傍には、一方の表面側と他方の裏面側に、面ファスナー２１，２２が設けられており、着物を着用する人の体形に合せて係止位置の調整が可能となっている。
【００２１】  前記ベルト部１ａの長さ方向中心Ｃからの離間位置Ｄ（例えば２０〜４０ｃｍ）から両端側に、前記ベルト部の幅と略同一で１０〜３０ｃｍ長の一対の面ファスナー２３，２４が設けられており、この面ファスナー２３，２４には、一対の細帯３，４に設けられた面ファスナー３２，４２が、対向して着脱自在に取付けられる。
【００２２】  一対の細帯３は、２ｃｍ巾×１５〜２５ｃｍ長のゴム製ベルトであり、一端に前記ベルト部２に着脱自在に取付け可能な面ファスナー３２が設けられ、他端は長襦袢叉は着物の衿に着脱自在に取付ける挟持片（クリップ）３１が設けられている。この挟持片（クリップ）３１は、図４に示すベルト止め具と同様の構造である。なお、前記細帯３をループ状に形成して、長さ調整を行う調節部材４３を持着させてもよい。
【００２３】  一対の細帯４は、２ｃｍ巾×１５〜２５ｃｍ長のゴム製ベルトであり、一端に前記ベルト部２に着脱自在に取付け可能な面ファスナー４２が設けられ、他端は長襦袢叉は着物の衿に着脱自在に取付ける挟持片（クリップ）４１が設けられている。この挟持片（クリップ）４１は、図４に示すベルト止め具と同様の構造である。また、前記細帯４をループ状に形成して、長さ調整を行う調節部材４３が設けられている。
【００２４】  一対の細帯３は、２ｃｍ巾×１５〜２５ｃｍ長のゴム製ベルトであり、一端に前記ベルト部２に着脱自在に取付け可能な面ファスナー３２が設けられ、他端は長襦袢叉は着物の衿に着脱自在に取付ける挟持片（クリップ）３１が設けられている。なお、前記細帯をループ状に形成して、長さ調整を行う調節部材４３を持着させてもよい。
【００２５】  一対の細帯４は、２ｃｍ巾×１５〜２５ｃｍ長のゴム製ベルトであり、一端に前記ベルト部２に着脱自在に取付け可能な面ファスナー４２が設けられ、他端は長襦袢叉は着物の衿に着脱自在に取付ける挟持片（クリップ）４１が設けられている。また、前記細帯４ループ状に形成して、長さ調整を行う調節部材４３が設けられている。
【００２６】  なお、図１、図２では、一対の細帯３と一対の細帯４を用いているが、これに代えて、二対の細帯３を用いてもよく、二対の細帯４を用いてもよい。また、浴衣を着付る場合には、一対の細帯３のみ、或いは、一対の細帯４のみ用いてもよい。
【００２７】  以下、本発明による着付け用衿合わせベルト１の使用手順を図１の構成に基づいて説明する。
１．着付け前の準備作業
１）着付け用衿合わせベルト１と、一対の細帯３、及び一対の細帯４を準備する。
２）長襦袢と着物を重ね合わせる。
３）長襦袢の背縫いと着物の背縫いを合わせ、長襦袢と着物の衿を合せて別途準備したクリップで仮留めする。
４）長襦袢の衿元から約２０ｃｍ上部の位置に一対の細帯３を挟持片３１で留める。
５）着物の衿に、前記長襦袢の衿に留めた細帯３より下部の位置に、一対の細帯４を挟持片４１で留める。なお、着用者の体形に合った留め位置を覚えておくと、前記一対の細帯３，４を留め直す手間がなくなる。
６）前記ベルト１の長尺側中心部を着物の背中に当て、前記ベルト２の端部を着物及び長襦袢の左右の身八つ口を通して、長襦袢の内側に留めておく。
２．長襦袢と着物を一緒にはおり、ベルト２の両端部を体の前部で仮止めする。
３．背中心を下に引いて衿を抜き、その状態を維持したまま長襦袢と着物の背中の皺を脇に寄せ、ベルト２をしっかり留め直す。これにより衣紋抜きができる。
４．長襦袢の衿を整えて押さえ、長襦袢の衿に留めていた一対の細帯３の他端３２を面ファスナーでベルト部２に留める。これで、長襦袢の衿合わせができる。
５．着物の裾丈を合せて、ウエストの位置を別途用意した紐で結ぶ。おはし折りを整え、長襦袢の衿に着物の衿を添わせて整え、着物の衿に留めておいた前記一対の細帯４の他端４２を面ファスナーでベルト２に留める。これで、着物の衿合わせができる。
６．着物を着付けた時点で衿に緩み等ができたときは、ベルト部２に留めた前記一対の細帯３叉は４を外して調整することができる。また、胸が締め付られて苦しいときは、袖口から手を入れてベルト部２に設けた面ファスナー２１，２２を外し、再び該面ファスナー２１，２２がベルト部２にくっ付かないように手で遮りながら大きく息を吸い込むことで、留めた位置がずれて、前記ベルト部２を緩めることができる。これにより、必要以上に胸部を圧迫しない着物の着付けができる。
【産業上の利用可能性】
【００２８】  本発明の着付け用衿合わせベルトは、上記のように構成されているので、着物だけでなく浴衣にも使用できる。また、初心者から上級者まで幅広く利用することができる。
【符号の説明】
【００２９】１、１ａ  着付け用衿合わせベルト
２，２ａ  ベルト部
３  細帯（長襦袢用衿合わせ細帯叉は着物用衿合わせ細帯）
４  細帯（長襦袢用衿合わせ細帯叉は着物用衿合わせ細帯）
２１，２２，２３，２４  面ファスナー
３１、４１  挟持片
３２、４２  面ファスナー
４３  調節部材
Ｃ  長さ方向中心
Ｄ  離間位置
【図１】
2019035182.tif 000003
【図２】
2019035182.tif 000004
【図３】
2019035182.tif 000005
【図４】
2019035182.tif 000006
【図５】
2019035182.tif 000007
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
着物の胴周りに巻付け可能な長さを有し、表面及び／叉は裏面が細帯を着脱自在に取り付けることができるマジッククロス生地であるか、或いは所定位置に前記細帯を着脱自在に取り付けることができる面ファスナーが設けられており、その両端近傍には着脱可能な面ファスナーが設けられた帯状のベルト部と、
長襦袢衿合わせ用の細帯及び／叉は着物衿合わせ用の細帯として使用可能であり、該細帯の一端には前記ベルト部の適宜位置に着脱自在に取付け可能な面ファスナーが設けられ、他端は長襦袢の衿及び／叉は着物の衿に着脱自在に取付け可能な挟持部材が設けられ、
該細帯は長さが一定又は長さを調整可能な調整部材が設けられている、少なくとも一対以上の細帯とから構成されている着付け用衿合わせベルトを用いた着物の着付け方法において、
長襦袢と着物を重ね合わせるステップと、
長襦袢の背縫いと着物の背縫いを合わせ、長襦袢と着物の衿を合わせて、別途準備したクリップで仮留めするステップと、
長襦袢の衿の所定の位置に、一対の細帯を挟持片で留めるステップと、
着物の衿の所定の位置に、他の一対の細帯を挟持片で留めるステップと、
ベルト部の長尺側中心部を着物の背中に当て、前記ベルト部の端部を着物及び長襦袢の左右の身八つ口に通して、長襦袢の内側に留めるステップと、
長襦袢と着物を一緒にはおり、ベルト部の両端部を体の前部で仮止めするステップと、
背中心を下に引いて衿を抜き、その状態を維持したまま長襦袢と着物の背中の皺を脇に寄せ、ベルト部を留め直して衣紋抜きするステップと、
長襦袢の衿を整えて押さえ、長襦袢の衿に留めていた一対の細帯の他端を面ファスナーでベルト部に留めて長襦袢の衿合わせをするステップと、
着物の裾丈を合せて、ウエストの位置を別途用意した紐で結び、おはし折りを整え、長襦袢の衿に着物の衿を添わせて整え、着物の衿に留めておいた一対の細帯の他端を面ファスナーでベルトに留めて着物の衿合わせをするステップと、
を含む着付け用衿合わせベルトを用いた長襦袢と着物の着付け方法。
【手続補正３】
【補正対象書類名】明細書
【補正対象項目名】０００９
【補正方法】変更
【補正の内容】
【０００９】  上記課題を解決するために、本発明の着付け用衿合わせベルトは、着物の胴周りに巻付け可能な長さを有し、その両端近傍に着脱可能な面ファスナーが設けられた帯状のベルト部と、長襦袢衿合わせ用の細帯及び／叉は着物衿合わせ用の細帯として使用可能であり、該細帯の一端には前記ベルト部の適宜位置に着脱自在に取付け可能な面ファスナーが設けられ、他端は長襦袢の衿及び／叉は着物の衿に着脱自在に取付け可能な挟持部材が設けられた少なくとも一対以上の細帯とから構成されている。また、前記ベルト部は、表面及び／叉は裏面が前記細帯を着脱自在に取付けることができるマジッククロス生地である。
【手続補正４】
【補正対象書類名】明細書
【補正対象項目名】００１０
【補正方法】変更
【補正の内容】
【００１０】  また、他の実施形態では、前記ベルト部は、表面及び／叉は裏面の所定位置に前記細帯を着脱自在に取付けることができる面ファスナーが設けられている、
前記一対の細帯は、長襦袢衿合わせ用の細帯及び／叉は着物衿合わせ用の細帯として使用可能であり、該細帯の一端には前記ベルト部に着脱自在に取付け可能な面ファスナーが設けられ、他端には長襦袢の衿叉は着物の衿に着脱自在に取付け可能な挟持部材が設けられている。また、他の実施形態では、前記細帯は、長さを調整可能な調整部材が設けられている。
【手続補正５】
【補正対象書類名】明細書
【補正対象項目名】００１１
【補正方法】変更
【補正の内容】
【００１１】着付け用衿合わせベルトを用いた着物の着付け方法は、長襦袢と着物を重ね合わせるステップと、長襦袢の背縫いと着物の背縫いを合わせ、長襦袢と着物の衿を合わせて、別途準備したクリップで仮留めするステップと、長襦袢の衿の所定の位置に、一対の細帯を挟持片で留めるステップと、着物の衿の所定の位置に、他の一対の細帯を挟持片で留めるステップと、ベルト部の長尺側中心部を着物の背中に当て、前記ベルト部の端部を着物及び長襦袢の左右の身八つ口に通して、長襦袢の内側に留めるステップと、長襦袢と着物を一緒にはおり、ベルト部の両端部を体の前部で仮止めするステップと、背中心を下に引いて衿を抜き、その状態を維持したまま長襦袢と着物の背中の皺を脇に寄せ、ベルト部を留め直して衣紋抜きするステップと、長襦袢の衿を整えて押さえ、長襦袢の衿に留めていた一対の細帯の他端を面ファスナーでベルト部に留めて長襦袢の衿合わせをするステップと、着物の裾丈を合せて、ウエストの位置を別途用意した紐で結び、おはし折りを整え、長襦袢の衿に着物の衿を添わせて整え、着物の衿に留めておいた一対の細帯の他端を面ファスナーでベルトに留めて着物の衿合わせをするステップと、を含む着付け用衿合わせベルトを用いた長襦袢と着物の着付け方法である。